【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるアクセスノードでのワイヤレス通信のための方法であって、
第１のセットのパラメータに関連付けられた第１のセルを提供することと、
第２のセットのパラメータに関連付けられた第２のセルを提供することと、
前記アクセスノードによってサービスされるユーザ機器（ＵＥ）に関連付けられた少なくとも１つのベアラのための有効化手順または修正手順の一部として、前記第１のセルおよび前記第２のセルにわたって前記ＵＥにサービスするための少なくとも１つのセル構成を識別することと、ここにおいて、前記少なくとも１つのセル構成は、前記第１のセットのパラメータと前記第２のセットのパラメータとに少なくとも部分的に基づく、
前記少なくとも１つのベアラのサービス割振りを選択することと、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスすることと
を備える方法。
【請求項２】
前記ＵＥにデータトラフィックをサービスすることが、
前記第１のセルにわたって前記１つまたは複数のサービスデータフローの第１のサブセットをサービスすること、あるいは、
前記第２のセルにわたって前記１つまたは複数のサービスデータフローの第２のサブセットをサービスすること
を備える、請求項１に記載の方法。
【請求項３】
前記サービス割振りが、
前記第１のセルにわたってサービスされるべきトラフィック量の割合および前記第２のセルにわたってサービスされるべきトラフィック量の割合
をさらに備える、請求項１に記載の方法。
【請求項４】
前記アクセスノードと前記ＵＥとの間のデフォルトベアラ有効化手順に少なくとも部分的に基づいて、第１のネットワークノードから前記少なくとも１つのセル構成に関連付けられた情報を受信することをさらに備える、請求項１に記載の方法。
【請求項５】
前記少なくとも１つのセル構成に関連付けられた情報を第２のネットワークノードから受信すること
をさらに備える、請求項４に記載の方法。
【請求項６】
ベアラセットアップ要求メッセージの一部として、前記第１のネットワークノードから前記少なくとも１つのセル構成に関連付けられた情報を受信すること
をさらに備える、請求項４に記載の方法。
【請求項７】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項１に記載の方法。
【請求項８】
前記ＵＥにサービスすることが、
前記第１のセルにわたって前記ＵＥにサービスするかどうかを決定することと、
前記第２のセルにわたって前記ＵＥにサービスするかどうかを決定することと、
を備える、請求項１に記載の方法。
【請求項９】
前記第１のセルまたは前記第２のセルにわたって前記ＵＥにサービスするかどうかを決定することが、
前記第１のセルおよび前記第２のセルの各々との接続を確立するよう前記ＵＥに命令すること、あるいは、
前記第１のセルまたは前記第２のセルへのアクセスが利用可能であるかどうかをＵＥに決定するよう前記ＵＥに命令すること
のうちの１つまたは複数を備える、請求項８に記載の方法。
【請求項１０】
前記サービス割振りは、
前記１つまたは複数のサービスデータフローと組み合わせて、および、前記選択することに少なくとも部分的に基づいて、前記第１のセルまたは前記第２のセルにわたってサービスされるべきトラフィック量の最大量
をさらに備える、請求項１に記載の方法。
【請求項１１】
前記サービス割振りは、
前記１つまたは複数のサービスデータフローと組み合わせて、および、前記選択することに少なくとも部分的に基づいて、前記第１のセルまたは前記第２のセルにわたってサービスされるべき最大ビットレート
をさらに備える、請求項１に記載の方法。
【請求項１２】
前記サービス割振りは、
前記１つまたは複数のサービスデータフローと組み合わせて、および、前記選択することに少なくとも部分的に基づいて、前記第１のセルまたは前記第２のセルにわたってサービスされるべき最小ビットレート
をさらに備える、請求項１に記載の方法。
【請求項１３】
前記サービス割振りは、
前記１つまたは複数のサービスデータフローと組み合わせて、および、前記選択することに少なくとも部分的に基づいて、前記第１のセルまたは前記第２のセルにわたってサービスされるべきアプリケーションタイプ
をさらに備える、請求項１に記載の方法。
【請求項１４】
前記サービス割振りは、
前記１つまたは複数のサービスデータフローと組み合わせて、および、前記選択することに少なくとも部分的に基づいて、前記第１のセルまたは前記第２のセルにわたってサービスされるべき１つまたは複数のベアラをさらに備え、ここにおいて、前記１つまたは複数のベアラは、少なくとも前記少なくとも１つのベアラを備える、
請求項１に記載の方法。
【請求項１５】
前記サービス割振りは、
前記１つまたは複数のサービスデータフローと組み合わせて、および、前記選択することに少なくとも部分的に基づいて、前記第１のセルまたは前記第２のセルによってサービスされるべきトラフィック量のサービス品質（ＱｏＳ）要件
をさらに備える、請求項１に記載の方法。
【請求項１６】
前記サービス割振りは、
前記１つまたは複数のサービスデータフローと組み合わせて、および、前記選択することに少なくとも部分的に基づいて、前記第１のセルまたは前記第２のセルに関連付けられた１つまたは複数の優先度付けルール
をさらに備える、請求項１に記載の方法。
【請求項１７】
前記アクセスノードと前記ＵＥとの間のデフォルトベアラ修正手順に少なくとも部分的に基づいて、第１のネットワークノードから前記少なくとも１つのセル構成に関連付けられた情報を受信すること
をさらに備える、請求項１に記載の方法。
【請求項１８】
ベアラ修正要求メッセージの一部として、前記第１のネットワークノードから前記少なくとも１つのセル構成に関連付けられた情報を受信すること
をさらに備える、請求項１７に記載の方法。
【請求項１９】
前記アクセスノードと前記ＵＥとの間の専用ベアラ有効化手順に少なくとも部分的に基づいて、第１のネットワークノードから前記少なくとも１つのセル構成に関連付けられた情報を受信すること
をさらに備える、請求項１に記載の方法。
【請求項２０】
ベアラセットアップ要求メッセージの一部として、前記第１のネットワークノードから前記少なくとも１つのセル構成に関連付けられた情報を受信すること
をさらに備える、請求項１９に記載の方法。
【請求項２１】
前記アクセスノードと前記ＵＥとの間の専用ベアラ修正手順に少なくとも部分的に基づいて、第１のネットワークノードから前記少なくとも１つのセル構成に関連付けられた情報を受信すること
をさらに備える、請求項１に記載の方法。
【請求項２２】
ベアラ修正要求メッセージの一部として、前記第１のネットワークノードから前記少なくとも１つのセル構成に関連付けられた情報を受信すること
をさらに備える、請求項２１に記載の方法。
【請求項２３】
前記アクセスノードと前記ＵＥとの間のセル構成手順に少なくとも部分的に基づいて、第１のネットワークノードから前記少なくとも１つのセル構成に関連付けられた情報を受信すること
をさらに備える、請求項１に記載の方法。
【請求項２４】
サービス要求手順を通して前記セル構成手順を確立することと、
初期コンテキストセットアップ要求メッセージの一部として、前記第１のネットワークノードから前記少なくとも１つのセル構成に関連付けられた情報を受信することと
をさらに備える、請求項２３に記載の方法。
【請求項２５】
前記アクセスノードと前記ＵＥとの間の接続確立手順に少なくとも部分的に基づいて、第１のネットワークノードから前記少なくとも１つのセル構成に関連付けられた情報を受信すること
をさらに備える、請求項１に記載の方法。
【請求項２６】
前記第１のセルは、第１の無線アクセス技術（ＲＡＴ）を介して提供され、前記第２のセルは、前記第１のＲＡＴとは異なる第２のＲＡＴを介して提供される、請求項１に記載の方法。
【請求項２７】
前記第１のセルは、認可無線周波数スペクトル帯域を介して提供され、前記第２のセルは、無認可無線周波数スペクトル帯域を介して提供される、請求項１に記載の方法。
【請求項２８】
ワイヤレス通信ネットワークにおけるアクセスノードでのワイヤレス通信のための装置であって、
第１のセットのパラメータに関連付けられた第１のセルを提供するための手段と、
第２のセットのパラメータに関連付けられた第２のセルを提供するための手段と、
前記アクセスノードによってサービスされるユーザ機器（ＵＥ）に関連付けられた少なくとも１つのベアラのための有効化手順または修正手順の一部として、前記第１のセルおよび前記第２のセルにわたって前記ＵＥにサービスするための少なくとも１つのセル構成を識別するための手段と、ここにおいて、前記少なくとも１つのセル構成は、前記第１のセットのパラメータと前記第２のセットのパラメータとに少なくとも部分的に基づく、
前記少なくとも１つのベアラのサービス割振りを選択するための手段と、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスするための手段と
を備える装置。
【請求項２９】
前記ＵＥにデータトラフィックをサービスするための前記手段が、前記第１のセルにわたって前記１つまたは複数のサービスデータフローの第１のサブセットをサービスする、あるいは、前記第２のセルにわたって前記１つまたは複数のサービスデータフローの第２のサブセットをサービスする、請求項２８に記載の装置。
【請求項３０】
前記サービス割振りが、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、ここにおいて、前記１つまたは複数のベアラは、少なくとも前記少なくとも１つのベアラを備える、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数をさらに備える、請求項２８に記載の装置。
【請求項３１】
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信するための手段をさらに備える、請求項２８に記載の装置。
【請求項３２】
前記少なくとも１つのセル構成に関連付けられた情報を第２のネットワークノードから受信するための手段
をさらに備える、請求項３１に記載の装置。
【請求項３３】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項２８に記載の装置。
【請求項３４】
前記ＵＥにサービスするための前記手段は、
前記第１のセルにわたって前記ＵＥにサービスするかどうかを決定し、前記第２のセルにわたって前記ＵＥにサービスするかどうかを決定する、請求項２８に記載の装置。
【請求項３５】
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信するための手段
をさらに備える、請求項２８に記載の装置。
【請求項３６】
前記アクセスノードと前記ＵＥとの間の専用ベアラ有効化または専用ベアラ修正手順に少なくとも部分的に基づいて、第１のネットワークノードから前記少なくとも１つのセル構成に関連付けられた情報を受信するための手段
をさらに備える、請求項２８に記載の装置。
【請求項３７】
前記アクセスノードと前記ＵＥとの間のセル構成手順に少なくとも部分的に基づいて、第１のネットワークノードから前記少なくとも１つのセル構成に関連付けられた情報を受信するための手段
をさらに備える、請求項２８に記載の装置。
【請求項３８】
前記アクセスノードと前記ＵＥとの間の接続確立手順に少なくとも部分的に基づいて、第１のネットワークノードから前記少なくとも１つのセル構成に関連付けられた情報を受信するための手段
をさらに備える、請求項２８に記載の装置。
【請求項３９】
前記第１のセルは、第１の無線アクセス技術（ＲＡＴ）を介して提供され、前記第２のセルは、前記第１のＲＡＴとは異なる第２のＲＡＴを介して提供される、請求項２８に記載の装置。
【請求項４０】
前記第１のセルは、認可無線周波数スペクトル帯域を介して提供され、前記第２のセルは、無認可無線周波数スペクトル帯域を介して提供される、請求項２８に記載の装置。
【請求項４１】
ワイヤレス通信ネットワークにおけるアクセスノードでのワイヤレス通信のための装置であって、
プロセッサと、
前記プロセッサと電子通信しているメモリと、
前記メモリに記憶された命令とを備え、前記命令が、前記装置に、
第１のセットのパラメータに関連付けられた第１のセルを提供させ、
第２のセットのパラメータに関連付けられた第２のセルを提供させ、
前記アクセスノードによってサービスされるユーザ機器（ＵＥ）に関連付けられた少なくとも１つのベアラのための有効化手順または修正手順の一部として、前記第１のセルおよび前記第２のセルにわたって前記ＵＥにサービスするための少なくとも１つのセル構成を識別させ、ここにおいて、前記少なくとも１つのセル構成は、前記第１のセットのパラメータと前記第２のセットのパラメータとに少なくとも部分的に基づく、
前記少なくとも１つのベアラのサービス割振りを選択させ、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスさせる
ように前記プロセッサによって実行可能である、装置。
【請求項４２】
前記命令が、前記装置に、前記第１のセルにわたって１つまたは複数のサービスデータフローの第１のセットをサービスさせる、または、前記第２のセルにわたって１つまたは複数のサービスデータフローの第２のセットをサービスさせるように前記プロセッサによってさらに実行可能である、請求項４１に記載の装置。
【請求項４３】
前記サービス割振りが、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、ここにおいて、前記１つまたは複数のベアラは、少なくとも前記少なくとも１つのベアラを備える、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数をさらに備える、請求項４１に記載の装置。
【請求項４４】
前記命令が、前記装置に、前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信させるように前記プロセッサによってさらに実行可能である、請求項４１に記載の装置。
【請求項４５】
前記命令が、前記装置に、前記少なくとも１つのセル構成に関連付けられた情報を第２のネットワークノードから受信させるように前記プロセッサによってさらに実行可能である、請求項４４に記載の装置。
【請求項４６】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項４１に記載の装置。
【請求項４７】
前記命令が、前記装置に、前記第１のセルにわたって前記ＵＥにサービスするかどうかを決定させ、前記第２のセルにわたって前記ＵＥにサービスするかどうかを決定させるように前記プロセッサによってさらに実行可能である、請求項４１に記載の装置。
【請求項４８】
前記命令が、前記装置に、
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信させる
ように前記プロセッサによってさらに実行可能である、請求項４１に記載の装置。
【請求項４９】
前記命令が、前記装置に、
前記アクセスノードと前記ＵＥとの間の専用ベアラ有効化または専用ベアラ修正手順に少なくとも部分的に基づいて、第１のネットワークノードから前記少なくとも１つのセル構成に関連付けられた情報を受信させる
ように前記プロセッサによってさらに実行可能である、請求項４１に記載の装置。
【請求項５０】
前記命令が、前記装置に、
前記アクセスノードと前記ＵＥとの間のセル構成手順に少なくとも部分的に基づいて、第１のネットワークノードから前記少なくとも１つのセル構成に関連付けられた情報を受信させる
ように前記プロセッサによってさらに実行可能である、請求項４１に記載の装置。
【請求項５１】
前記命令が、前記装置に、
前記アクセスノードと前記ＵＥとの間の接続確立手順に少なくとも部分的に基づいて、第１のネットワークノードから前記少なくとも１つのセル構成に関連付けられた情報を受信させる
ように前記プロセッサによってさらに実行可能である、請求項４１に記載の装置。
【請求項５２】
前記第１のセルは、第１の無線アクセス技術（ＲＡＴ）を介して提供され、前記第２のセルは、前記第１のＲＡＴとは異なる第２のＲＡＴを介して提供される、請求項４１に記載の装置。
【請求項５３】
前記第１のセルは、認可無線周波数スペクトル帯域を介して提供され、前記第２のセルは、無認可無線周波数スペクトル帯域を介して提供される、請求項４１に記載の装置。
【請求項５４】
ワイヤレス通信ネットワークにおけるアクセスノードでのワイヤレス通信のためのコンピュータ実行可能コードを記憶する非一時的コンピュータ可読媒体であって、前記コードが、
第１のセットのパラメータに関連付けられた第１のセルを提供し、
第２のセットのパラメータに関連付けられた第２のセルを提供し、
前記アクセスノードによってサービスされるユーザ機器（ＵＥ）に関連付けられた少なくとも１つのベアラのための有効化手順または修正手順の一部として、前記第１のセルおよび前記第２のセルにわたって前記ＵＥにサービスするための少なくとも１つのセル構成を識別し、ここにおいて、前記少なくとも１つのセル構成は、前記第１のセットのパラメータと前記第２のセットのパラメータとに少なくとも部分的に基づく、
前記少なくとも１つのベアラのサービス割振りを選択し、前記サービス割振りは、前記少なくとも１つのセル構成に少なくとも部分的に基づいて、前記第１のセルおよび前記第２のセルのうちの少なくとも１つにわたる１つまたは複数のサービスデータフローを備える、
前記選択されたサービス割振りに少なくとも部分的に基づいて前記ＵＥにデータトラフィックをサービスする
ようにプロセッサによって実行可能である、コンピュータ可読媒体。
【請求項５５】
前記コードが、前記第１のセルにわたって前記１つまたは複数のサービスデータフローの第１のサブセットをサービスする、あるいは、前記第２のセルにわたって前記１つまたは複数のサービスデータフローの第２のサブセットをサービスするように前記プロセッサによってさらに実行可能である、請求項５４に記載のコンピュータ可読媒体。
【請求項５６】
前記サービス割振りが、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、ここにおいて、前記１つまたは複数のベアラは、少なくとも前記少なくとも１つのベアラを備える、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数をさらに備える、請求項５４に記載のコンピュータ可読媒体。
【請求項５７】
前記コードが、前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信するように前記プロセッサによってさらに実行可能である、請求項５４に記載のコンピュータ可読媒体。
【請求項５８】
前記コードが、前記少なくとも１つのセル構成に関連付けられた情報を第２のネットワークノードから受信するように前記プロセッサによってさらに実行可能である、請求項５７に記載のコンピュータ可読媒体。
【請求項５９】
前記少なくとも１つのセル構成が、
前記ＵＥに、
前記ＵＥの前記少なくとも１つのベアラに、
前記１つまたは複数のサービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項５４に記載のコンピュータ可読媒体。
【請求項６０】
前記コードが、前記第１のセルにわたって前記ＵＥにサービスするかどうかを決定し、前記第２のセルにわたって前記ＵＥにサービスするかどうかを決定するように前記プロセッサによってさらに実行可能である、請求項５４に記載のコンピュータ可読媒体。
【請求項６１】
前記コードが、
前記アクセスノードと前記ＵＥとの間のデフォルトベアラ有効化またはデフォルトベアラ修正手順に少なくとも部分的に基づいて、第１のネットワークノードから前記少なくとも１つのセル構成に関連付けられた情報を受信する
ように前記プロセッサによってさらに実行可能である、請求項５４に記載のコンピュータ可読媒体。
【請求項６２】
前記コードが、
前記アクセスノードと前記ＵＥとの間の専用ベアラ有効化または専用修正手順に少なくとも部分的に基づいて、第１のネットワークノードから前記少なくとも１つのセル構成に関連付けられた情報を受信する
ように前記プロセッサによってさらに実行可能である、請求項５４に記載のコンピュータ可読媒体。
【請求項６３】
前記コードが、
前記アクセスノードと前記ＵＥとの間のセル構成手順に少なくとも部分的に基づいて、第１のネットワークノードから前記少なくとも１つのセル構成に関連付けられた情報を受信する
ように前記プロセッサによってさらに実行可能である、請求項５４に記載のコンピュータ可読媒体。
【請求項６４】
前記コードが、
前記アクセスノードと前記ＵＥとの間の接続確立手順に少なくとも部分的に基づいて、第１のネットワークノードから前記少なくとも１つのセル構成に関連付けられた情報を受信する
ように前記プロセッサによってさらに実行可能である、請求項５４に記載のコンピュータ可読媒体。